(57)【特許請求の範囲】
【請求項１】
マルチモード・モバイル・デバイスによって、異なるラジオ・アクセス技術（ＲＡＴ）にわたり複数の登録を実行する方法であって、
前記モバイル・デバイスを、プライマリＲＡＴに登録することと、
前記モバイル・デバイスを、前記プライマリＲＡＴとは異なる少なくとも１つの非プライマリＲＡＴに仮登録することとを含み、
前記仮登録は、
非プライマリＲＡＴエア・インタフェースを用いて、前記非プライマリＲＡＴとのラジオ・セッション・コンテキストをセット・アップすることと、
前記非プライマリＲＡＴとのパケット・データ・ネットワーク（ＰＤＮ）コンテキストをセット・アップすることと、
外部のＰＤＮゲートウェイとの仮バインディングをセット・アップし、バインディング状態を前記プライマリＲＡＴから前記非プライマリＲＡＴへ転送することなく、前記ＰＤＮゲートウェイから、前記モバイル・デバイスのバインディング状態情報を取得することと、
前記取得されたバインディング状態情報を、前記ＰＤＮコンテキストに追加することと
を含む、方法。
【請求項２】
前記非プライマリＲＡＴにおいてプリセットされたラジオ・セッション・コンテキストとＰＤＮコンテキストとを用いて、前記モバイル・デバイスの、前記プライマリＲＡＴから前記非プライマリＲＡＴへのハンドオフを実行することをさらに備える、請求項１に記載の方法。
【請求項３】
前記非プライマリＲＡＴとのバインディングをトリガすることなく、前記非プライマリＲＡＴにおける登録維持を実行することをさらに備え、
前記登録維持は、非プライマリＲＡＴとモバイル・デバイスとの間の定期的なキープ・ライブ・メカニズムと、前記モバイル・デバイスによる前記非プライマリＲＡＴへのモビリティ・ベースの仮登録とを含む、請求項１に記載の方法。
【請求項４】
前記モバイル・デバイスとの現在の通信セッションのためのサービス品質（ＱｏＳ）更新情報を、前記非プライマリＲＡＴに転送するように前記プライマリＲＡＴにシグナルすることをさらに備え、
前記ＱｏＳ更新情報は、前記プライマリＲＡＴ上にキャッシュされ、前記モバイル・デバイスが、前記非プライマリＲＡＴとのバインディングをトリガする場合にのみ前記非プライマリＲＡＴへ送信される、請求項３に記載の方法。
【請求項５】
前記モバイル・デバイスが、前記非プライマリＲＡＴとの仮登録コンテキストのセット・アップまたは仮登録コンテキストの維持を実行することを意図しており、前記非プライマリＲＡＴへハンドオフしないことを意図していることを、前記非プライマリＲＡＴへシグナルすることをさらに備える、請求項３に記載の方法。
【請求項６】
前記非プライマリＲＡＴとのバインディングをトリガすることなく、前記ラジオ・セッション・コンテキストおよび前記ＰＤＮコンテキストを更新するように、前記非プライマリＲＡＴに対してシグナルすることをさらに備える、請求項４に記載の方法。
【請求項７】
登録終了タイマをネゴシエート、設定、またはリセットするように、前記非プライマリＲＡＴに対してシグナルすることをさらに備える、請求項３に記載の方法。
【請求項８】
前記非プライマリＲＡＴにおいて、フルＰＤＮコンテキストまたは部分的なＰＤＮコンテキストがプリセットされているか、または、ＰＤＮコンテキストがまったくプリセットされていないかを判定することをさらに備える、請求項３に記載の方法。
【請求項９】
前記非プライマリＲＡＴにおいて、フルＰＤＮコンテキストがプリセットされている場合、前記プリセットされたＰＤＮコンテキストを用いて、プライマリＲＡＴから非プライマリＲＡＴへのハンドオフを実行することと、
前記非プライマリＲＡＴにおいて、部分的なＰＤＮコンテキストがプリセットされている場合、（ｉ）前記モバイル・デバイス、プライマリＲＡＴ、または外部のＰＤＮゲートウェイから取得された喪失パラメータを用いてＰＤＮコンテキストを補完し、（ｉｉ）補完されたＰＤＮコンテキストを用いて、前記プライマリＲＡＴから前記非プライマリＲＡＴへのハンドオフを実行することと、
ＰＤＮコンテキストが、前記非プライマリＲＡＴにプリセットされていない場合、（ｉ）新たなＰＤＮコンテキストを生成し、（ｉｉ）前記モバイル・デバイス、プライマリＲＡＴ、または外部のＰＤＮゲートウェイから、必要とされるコンテキスト・パラメータを取得し、（ｉｉｉ）前記生成されたＰＤＮコンテキストを用いて、プライマリＲＡＴから非プライマリＲＡＴへのハンドオフを実行することと
を備える、請求項８に記載の方法。
【請求項１０】
無線通信システムであって、
プロセッサと、前記プロセッサに接続された通信構成要素とを備え、
前記プロセッサは、
前記通信構成要素を用いて、マルチモード・デバイスを、プライマリＲＡＴに登録し、
前記通信構成要素を用いて、前記モバイル・デバイスを、前記プライマリＲＡＴとは異なる少なくとも１つの非プライマリＲＡＴに仮登録するように構成され、
前記プロセッサはさらに、
前記通信構成要素を用いて、前記非プライマリＲＡＴとのラジオ・セッション・コンテキストをセット・アップし、
前記通信構成要素を用いて、前記非プライマリＲＡＴとのパケット・データ・ネットワーク（ＰＤＮ）コンテキストをセット・アップし、
前記通信構成要素を用いて、外部のＰＤＮゲートウェイとの仮バインディングをセット・アップして、バインディング状態を前記プライマリＲＡＴから前記非プライマリＲＡＴへ転送することなく、前記ＰＤＮゲートウェイから、前記モバイル・デバイスのバインディング状態情報を取得し、
前記通信構成要素を用いて、前記取得されたバインディング状態情報を、前記ＰＤＮコンテキストに追加する
ように構成された、無線通信システム。
【請求項１１】
前記プロセッサはさらに、前記通信構成要素を用いて、前記非プライマリＲＡＴにおいてプリセットされたラジオ・セッション・コンテキストとＰＤＮコンテキストとを用いて、前記プライマリＲＡＴから前記非プライマリＲＡＴへのハンドオフを実行するように構成された、請求項１０に記載の無線通信システム。
【請求項１２】
前記プロセッサはさらに、前記通信構成要素を用いて、前記非プライマリＲＡＴへの登録維持を実行するように構成され、
前記登録維持は、非プライマリＲＡＴとモバイル・デバイスとの間の定期的なキープ・ライブ・メカニズムと、前記モバイル・デバイスによる前記非プライマリＲＡＴへのモビリティ・ベースの仮登録とを含む、請求項１０に記載の無線通信システム。
【請求項１３】
前記プロセッサはさらに、前記通信構成要素を用いて、前記モバイル・デバイスとの現在の通信セッションのためのサービス品質（ＱｏＳ）更新情報を、前記非プライマリＲＡＴに転送するように前記プライマリＲＡＴにシグナルするように構成され、
前記ＱｏＳ更新情報は、前記プライマリＲＡＴ上にキャッシュされ、前記モバイル・デバイスが、前記非プライマリＲＡＴとのバインディングをトリガする場合にのみ前記非プライマリＲＡＴへ送信される、
請求項１２に記載の無線通信システム。
【請求項１４】
前記プロセッサはさらに、前記通信構成要素を用いて、前記モバイル・デバイスが、前記非プライマリＲＡＴにおける登録維持を実行することを意図しており、前記非プライマリＲＡＴへハンドオフしないこと意図していることを、前記非プライマリＲＡＴへシグナルするように構成された、請求項１２に記載の無線通信システム。
【請求項１５】
前記プロセッサはさらに、前記通信構成要素を用いて、前記非プライマリＲＡＴに対して、前記プライマリＲＡＴによって提供されたＱｏＳ更新情報を用いて、前記ラジオ・セッション・コンテキストおよびＰＤＮコンテキストを更新するようシグナルするように構成された、請求項１３に記載の無線通信システム。
【請求項１６】
前記プロセッサはさらに、前記通信構成要素を用いて、登録終了タイマを設定またはリセットするように、前記非プライマリＲＡＴに対してシグナルするように構成された、請求項１２に記載の無線通信システム。
【請求項１７】
前記プロセッサはさらに、前記非プライマリＲＡＴにおいて、フルＰＤＮコンテキストまたは部分的なＰＤＮコンテキストがプリセットされているか、または、ＰＤＮコンテキストがまったくプリセットされていないかを判定するように構成された、請求項１２に記載の無線通信システム。
【請求項１８】
前記非プライマリＲＡＴにおいて、フルＰＤＮコンテキストがプリセットされている場合、前記プロセッサはさらに、前記通信構成要素を用いて、プリセットされたＰＤＮコンテキストを用いて、前記プライマリＲＡＴから前記非プライマリＲＡＴへのハンドオフを実行するように構成され、
前記非プライマリＲＡＴにおいて、部分的なＰＤＮコンテキストがプリセットされている場合、前記プロセッサはさらに、（ｉ）前記モバイル・デバイス、プライマリＲＡＴ、または外部のＰＤＮゲートウェイから取得された喪失パラメータを用いてＰＤＮコンテキストを補完し、（ｉｉ）補完されたＰＤＮコンテキストを用いて、前記プライマリＲＡＴから前記非プライマリＲＡＴへのハンドオフを実行するように構成され、
ＰＤＮコンテキストが、前記非プライマリＲＡＴにプリセットされていない場合、前記プロセッサはさらに、（ｉ）新たなＰＤＮコンテキストを生成し、（ｉｉ）前記モバイル・デバイス、プライマリＲＡＴ、または外部のＰＤＮゲートウェイから、必要とされるコンテキスト・パラメータを取得し、（ｉｉｉ）前記生成されたＰＤＮコンテキストを用いて、プライマリＲＡＴから非プライマリＲＡＴへのハンドオフを実行するように構成された、請求項１７に記載の無線通信システム。
【請求項１９】
マルチモード・モバイル・デバイスによって、異なるラジオ・アクセス技術（ＲＡＴ）にわたり複数の登録を実行するためのコンピュータ・プログラムを記録したコンピュータ読取可能な記録媒体であって、
前記モバイル・デバイスを、プライマリＲＡＴに登録するための第１のコードのセットと、
前記モバイル・デバイスを、前記プライマリＲＡＴとは異なる少なくとも１つの非プライマリＲＡＴに仮登録するための第２のコードのセットと、
前記非プライマリＲＡＴとのラジオ・セッション・コンテキストをセット・アップするための第３のコードのセットと、
前記非プライマリＲＡＴとのパケット・データ・ネットワーク（ＰＤＮ）コンテキストをセット・アップするための第４のコードのセットと、
外部のＰＤＮゲートウェイとの仮バインディングをセット・アップし、バインディング状態を前記プライマリＲＡＴから前記非プライマリＲＡＴへ転送することなく、前記ＰＤＮゲートウェイから、前記モバイル・デバイスのバインディング状態情報を取得するための第５のコードのセットと、
前記取得されたバインディング状態情報を、前記ＰＤＮコンテキストに追加するための第６のコードのセットと
を記録したコンピュータ読取可能な記録媒体。
【請求項２０】
前記非プライマリＲＡＴにおいてプリセットされたラジオ・セッション・コンテキストとＰＤＮコンテキストとを用いて、前記モバイル・デバイスの、前記プライマリＲＡＴから前記非プライマリＲＡＴへのハンドオフを実行するための第７のコードのセットをさらに記録した、請求項１９に記載のコンピュータ読取可能な記録媒体。
【請求項２１】
前記非プライマリＲＡＴにおける登録維持を実行するための第８のコードのセットをさらに記録し、
前記非プライマリＲＡＴのＰＤＮコンテキストおよびセッション・コンテキストを更新するための第９のコードのセットを含む、
請求項１９に記載のコンピュータ読取可能な記録媒体。
【請求項２２】
登録終了タイマを設定またはリセットするように、前記非プライマリＲＡＴに対してシグナルするための第１０のコードのセットをさらに記録した、請求項２１に記載のコンピュータ読取可能な記録媒体。
【請求項２３】
前記非プライマリＲＡＴにおいて、フルＰＤＮコンテキストまたは部分的なＰＤＮコンテキストがプリセットされているか、または、ＰＤＮコンテキストがまったくプリセットされていないかを判定するための第１１のコードのセットをさらに記録した、請求項２１に記載のコンピュータ読取可能な記録媒体。
【請求項２４】
マルチモード・モバイル・デバイスによって、異なるラジオ・アクセス技術（ＲＡＴ）にわたり複数の登録を実行するための装置であって、
前記モバイル・デバイスを、プライマリＲＡＴに登録する手段と、
前記モバイル・デバイスを、前記プライマリＲＡＴとは異なる少なくとも１つの非プライマリＲＡＴに仮登録する手段とを備え、
前記仮登録する手段は、
前記非プライマリＲＡＴとのラジオ・セッション・コンテキストをセット・アップする手段と、
前記非プライマリＲＡＴとのパケット・データ・ネットワーク（ＰＤＮ）コンテキストをセット・アップする手段と、
外部のＰＤＮゲートウェイとの仮バインディングをセット・アップし、バインディング状態を前記プライマリＲＡＴから前記非プライマリＲＡＴへ転送することなく、前記ＰＤＮゲートウェイから、前記モバイル・デバイスのバインディング状態情報を取得する手段と、
前記取得されたバインディング状態情報を、前記ＰＤＮコンテキストに追加する手段と
を備える、装置。
【請求項２５】
前記非プライマリＲＡＴにおいてプリセットされたラジオ・セッション・コンテキストとＰＤＮコンテキストとを用いて、前記モバイル・デバイスの、前記プライマリＲＡＴから前記非プライマリＲＡＴへのハンドオフを実行する手段をさらに備える、請求項２４に記載の装置。
【請求項２６】
前記非プライマリＲＡＴにおける登録維持を実行する手段をさらに備え、
前記非プライマリＲＡＴのＰＤＮコンテキストおよびセッション・コンテキストを更新する手段を含む、請求項２４に記載の装置。
【請求項２７】
登録終了タイマを設定、またはリセットするように、前記非プライマリＲＡＴに対してシグナルする手段をさらに備える、請求項２６に記載の装置。
【請求項２８】
前記非プライマリＲＡＴにおいて、フルＰＤＮコンテキストまたは部分的なＰＤＮコンテキストがプリセットされているか、または、ＰＤＮコンテキストがまったくプリセットされていないかを判定する手段をさらに備える、請求項２６に記載の装置。
【発明の詳細な説明】
【優先権主張】
【０００１】
本特許出願は、２００９年５月２６日に出願され、本明細書の譲受人に譲渡され、「異なるアクセス技術にわたる複数の登録を実行する方法」（A Method to Perform Multiple Registration(s) Across Different Access Technologies）と題され、本明細書に参照によって明確に組み込まれた米国特許仮出願６１／１８１，１４３号に対する優先権を主張する。
【技術分野】
【０００２】
本開示は、一般に、通信分野に関し、さらに詳しくは、異なるラジオ・アクセス・ネットワークにわたる複数の技術間の登録およびハンドオフを実行するためのシステムおよび方法に関する。
【背景技術】
【０００３】
ラジオ・アクセス・ネットワーク（ＲＡＮ）は、モバイル・デバイスに音声サービス、データ・サービス、およびマルチメディア・サービスを提供するために広く展開されている。これらのネットワークは、一般に、適用するラジオ・アクセス技術（ＲＡＴ）に基づいて、互いに異なる。一般に展開されているラジオ・アクセス技術の例は、例えば、１ｘ、ＨＲＰＤ、およびｅＨＲＰＤのように、ＣＭＤＡ２０００ネットワークで使用される符号分割多元接続（ＣＤＭＡ）、ユニバーサル・モバイル・テレコミュニケーション・システム（ＵＭＴＳ）ネットワークで使用される広帯域ＣＤＭＡ、グローバル・システム・フォー・モバイル通信（ＧＳＭ（登録商標））ネットワークにおいて使用される時分割多元接続（ＴＤＭＡ）、第３世代パートナシップ計画（３ＧＰＰ）ロング・ターム・イボリューション（ＬＴＥ）ネットワークにおいて使用される周波数分割多元接続（ＦＤＭＡ）を含む。異なるＲＡＴは、通常、異なる信号変調スキームおよび符号化スキームおよび異なる通信プロトコルを適用し、異なる周波数帯域において動作し、異なるサービス品質（ＱｏＳ）を提供する。
【０００４】
現在世界的に適用されているＲＡＮの多くのバリエーションにより、複数のＲＡＴをサポートすることが可能なマルチモード・モバイル・デバイスの流行が著しく進んだ。これらのマルチモード・モバイル・デバイスは、複数のＲＡＴを用いた通信のために、１または複数のラジオを有しうる。動作中、マルチモード・デバイスは、一般に、利用可能なＲＡＮを用いて探索および登録を行う。モバイル・デバイスが現在登録している技術は、プライマリＲＡＴと呼ばれる。デバイスは、その後、これらネットワークのうちの１つにハンドオフするために、より好適なＲＡＮを定期的に探索し、これらネットワークに登録する。これら技術は、非プライマリＲＡＴと呼ばれる。しかしながら、ネットワークの違いにより、技術間の登録および、プライマリＲＡＴと非プライマリＲＡＴとの間のハンドオフを実行することは、リソースを大量に消費し、非効率的な処理である。したがって、異なるＲＡＴにわたる登録および技術間ハンドオフを改善するニーズがある。
【発明の概要】
【０００５】
従来技術のこれらおよびその他の制限に対応するために、異なるラジオ・アクセス・ネットワークにわたる登録および技術間ハンドオフを実行するためのシステム、方法、およびコンピュータ・プログラム製品が開示される。以下は、１または複数の態様の基本的な理解を与えるために、このような態様の簡略化された概要を示す。この概要は、考えられるすべての態様の広範囲な概観ではなく、すべての態様の重要要素や決定的要素を識別することも、何れかまたは全ての態様のスコープを線引きすることも意図されていない。その唯一の目的は、後に示されるより詳細な記載に対する前置きとして、簡略化された形式で１または複数の態様のいくつかの概念を表すことである。
【０００６】
１つの態様では、登録手順は、プライマリＲＡＴへの登録と、プライマリＲＡＴとは異なる少なくとも１つの非プライマリＲＡＴとの仮登録とをモバイル・デバイスへプロビジョンする。プライマリＲＡＴは、モバイル・デバイスが、パケット・データ・ネットワーク・トラフィックを送信／受信するために使用する技術である。非プライマリＲＡＴは、モバイル・デバイスが、パケット・データ・ネットワーク・トラフィックを送信／受信するために切換を考慮する技術である。仮登録手順は、非プライマリＲＡＴをパケット・データ・ネットワーク内のモビリティ・アンカとバインドすることなく、非プライマリＲＡＴを用いて、ラジオ・セッション・コンテキストとパケット・データ・ネットワーク（ＰＤＮ）コンテキストとをセット・アップすることを含む。この手順はさらに、外部のＰＤＮゲートウェイとの仮バインディングをセット・アップすることと、バインディング状態をプライマリＲＡＴから非プライマリＲＡＴへ転送することなく、ＰＤＮゲートウェイから、モバイル・デバイスのバインディング状態情報を取得することとを含む。バインディング状態情報は、ＰＤＮコンテキストに追加されうる。モバイル・デバイスは、その後、プリセットされたコンテキスト（単数または複数）を用いて、プライマリＲＡＴから非プライマリＲＡＴへのハンドオフを実行しうる。
【０００７】
別の態様では、非プライマリＲＡＴに維持されたＰＤＮコンテキストおよびセッション・コンテキストをモバイル・デバイスが更新できるよう、登録維持手順がプロビジョンする。その間、モバイル・デバイスは、モバイル・デバイスの接続点を非プライマリＲＡＴへ移動させることなく、プライマリＲＡＴに接続されている。１つの態様では、プライマリＲＡＴによって提供されたＱｏＳ更新情報を用いて、非プライマリＲＡＴが、ラジオ・セッション・コンテキストおよびＰＤＮコンテキストを更新できるように、登録維持手順がプロビジョンする。別の態様では、登録維持手順によって、モバイル・デバイスは、非プライマリＲＡＴで登録終了タイマ（単数または複数）を設定またはリセットできるようになる。タイマ（単数または複数）は、非プライマリＲＡＴ（単数または複数）における未使用のモバイル・デバイスの仮登録を終了させるために使用される。これによって、非プライマリＲＡＴ（単数または複数）でのシステム・リソース割当が改善される。この手順はまた、非プライマリＲＡＴにおいてＰＤＮコンテキストがフルまたは部分的にプリセットされたか、あるいは全くプリセットされていないかと、ハンドオフ中にどの動作が講じられるべきかをモバイル・デバイスが判定できるように、プロビジョンする。
【０００８】
開示された仮登録手順は、単一のおよび複数の無線モバイル・デバイスによって実行されうることが注目されるべきである。シングル・ラジオ・デバイスの場合、デバイスは、非プライマリＲＡＴ（単数または複数）とダイレクトに仮登録するために、プライマリＲＡＴから一時的に離れる。マルチ・ラジオ・モバイル・デバイスの場合、デバイスは、プライマリＲＡＴおよび各非プライマリＲＡＴと独立して通信するために、自己のラジオを使用しうる。例えば、プライマリＲＡＴとのデータ・トラフィックをサポートするために、１つのラジオが使用され、非プライマリＲＡＴ（単数または複数）とダイレクトに仮登録するために、別のラジオが使用されうる。
【０００９】
以下の記述および添付図面は、異なるラジオ・アクセス・ネットワークにわたる技術間のハンドオフおよび登録を実行するためのシステム、方法、およびコンピュータ・プログラム製品の１または複数の態様のある例示的な特徴をより詳細に記述する。しかしながら、これらの特徴は、さまざまな態様の原理が適用されるさまざまな方式のうちの極く一部しか示しておらず、本説明は、そのような態様およびそれらの均等物の全てを含むことが意図されている。
【図面の簡単な説明】
【００１０】
開示された態様は、以下において、同一符号が同一要素を示す添付図面と連携して説明され、開示された態様を、限定することなく、例示するために提供される。
【図１】図１は、本明細書に記載された１つの態様にしたがう無線通信システムの例示である。
【図２】図２は、別の態様にしたがう無線通信システムの例示である。
【図３】図３は、別の態様にしたがう無線通信システムの例示である。
【図４】図４は、１つの態様にしたがって、異なるラジオ・アクセス技術にわたる複数の登録のための方法の例の例示である。
【図５】図５は、別の態様にしたがって、異なるラジオ・アクセス技術にわたる登録維持のための方法の例の例示である。
【図６】図６は、さらに別の態様にしたがって、異なるラジオ・アクセス技術にわたるハンドオフのための方法の例の例示である。
【図７】図７は、無線通信システムの例の例示である。
【図８】図８は、１つの態様にしたがって、異なるラジオ・アクセス技術にわたる複数の登録を実行するためのシステムの例の例示である。
【図９】図９は、１つの態様セットにしたがって、異なるラジオ・アクセス技術にわたる複数の登録を実行するように動作可能なモバイル・デバイスの例の例示である。
【発明を実施するための形態】
【００１１】
異なるラジオ・ネットワークにわたるハンドオフおよび技術間登録のための方法のさまざまな態様または特徴が、添付図面を参照して記載される。さまざまな態様または特徴が、多くのラジオ・アクセス・ネットワーク、マルチモード・モバイル・デバイス、構成要素、モジュール等を含むシステムの観点から示されるだろう。さまざまなシステムが、追加のデバイス、構成要素、モジュール等を含むことができるか、および／または、図面に関連して説明されたデバイス、構成要素、モジュール等の必ずしも全てを含んでいる訳ではないことが理解され、認識されるべきである。これらアプローチの組み合わせもまた使用されうる。いくつかの態様または特徴は、上述されたさまざまなシステム構成要素によってある動作を実行するためのステップを含む方法の観点から示されるだろう。さまざまな方法が、これらおよびその他のシステム構成要素による追加ステップを含み、および／または、これらステップのすべてを含む訳ではないことが理解および認識されるべきである。さらに、以下の記載では、説明の目的のために、１または複数の態様の完全な理解を提供するために、多くの具体的な詳細が述べられることが理解および認識されるべきである。しかしながら、そのような態様は、これら具体的な詳細無しで実現されうることが明確である。
【００１２】
図１は、複数の異なるラジオ・アクセス・ネットワーク（ＲＡＮ）１１０と通信することが可能な１または複数のマルチモード・モバイル・デバイス１０５を含む無線通信システム１００の１つの態様を例示する。「システム」、「ネットワーク」という用語は、本明細書において置換可能に使用される。ＲＡＮ１１０は、例えばインターネットや、（図示しない）公衆交換電話網のようなコア回路交換ネットワークのようなコア・パケット・データ・ネットワーク１２０へのアクセスのみならず、音声サービス、データ・サービス、マルチメディア・サービス、およびその他のサービスを、モバイル・デバイス１０５へ提供する。モバイル・デバイス１０５は、限定される訳ではないが、セルラ電話、コードレス電話、セッション開始プロトコル（ＳＩＰ）電話、携帯情報端末（ＰＤＡ）、無線接続機能を有するハンドヘルド・デバイス、ラップトップ・コンピュータ、あるいはセルラまたは無線モデムを有するその他の処理デバイスを含みうる。モバイル・デバイス１０５はまた、加入者ユニット、加入者局、モバイル局、モバイル、遠隔局、遠隔端末、アクセス端末、ユーザ端末、端末、無線通信デバイス、ユーザ・エージェント、ユーザ・デバイス、ユーザ機器（ＵＥ）等とも称されうる。
【００１３】
１つの態様では、ＲＡＮ１１０は、限定される訳ではないが、ＣＤＭＡ、ＴＤＭＡ、ＦＤＭＡ、ＯＦＤＭＡ、ＳＣ−ＦＤＭＡ、および、その他の既知の技術または将来の技術を含む別のラジオ・アクセス技術を展開させうる。例えば、ＣＤＭＡ技術は、ユニバーサル地上ラジオ・アクセス（ＵＴＲＡ）、ＣＤＭＡ２０００、およびその他のネットワークで実施される。ＵＴＲＡは、広帯域ＣＤＭＡ（Ｗ−ＣＤＭＡ）およびＣＤＭＡのその他の変形を含んでいる。ＣＤＭＡ２０００は、１ｘＲＴＴ技術、高速レート・パケット・データ（ＨＲＰＤ）技術、およびイボルブドＨＲＰＤ（ｅＨＲＰＤ）技術を含む。ＴＤＭＡ技術は、グローバル・システム・フォー・モバイル通信（ＧＳＭ）で実施される。ＯＦＤＭＡシステムは、例えばイボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）で実施される。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）は、ダウンリンクではＯＦＤＭＡを適用し、アップリンクではＳＣ−ＦＤＭＡを適用するＥ−ＵＴＲＡを用いるＵＭＴＳのリリースである。ＵＴＲＡ、Ｅ−ＵＴＲＡ、ＵＭＴＳ、ＬＴＥ、およびＧＳＭは、「第３世代パートナシップ計画プロジェクト」（３ＧＰＰ）と命名された組織からのドキュメントに記述されている。それに加えて、ＣＤＭＡ２０００およびＵＭＢは、「第３世代パートナシップ計画２」（３ＧＰＰ２）と命名された機構からのドキュメントに記述されている。さらに、ラジオ・アクセス・ネットワーク１１０は、しばしばアンペア（ｕｎｐａｉｒｅｄ）な無許可のスペクトルを用いるピア・トゥ・ピア（例えば、モバイル・トゥ・モバイル）アド・ホック・ネットワーク・システム、８０２ｘｘ無線ＬＡＮ、Ｂｌｕｅｔｏｏｔｈ（登録商標）、および、その他任意の短距離または長距離の無線通信技術を含みうる。
【００１４】
図２は、通信システム２００におけるラジオ・アクセス・ネットワーク１１０の１つの態様を例示する。ＲＡＮ１１０の図示されたハイ・レベル・インフラストラクチャは、単なる典型例であり、異なるラジオ・アクセス技術を適用するＲＡＮ１１０Ａ、１１０Ｂとの両方を表すのに十分に一般的である。さらに詳しくは、ＲＡＮ１１０は、複数のラジオ基地局１１２、ＲＡＮコントローラ１１４、およびアクセス・ゲートウェイ１１６を含みうる。ＲＡＮ１１０は、（図示しない）複数のセルに分割されうる。おのおののセルは、１または複数のラジオ基地局１１２を有する。１または複数のセルのグループは、専用ＲＡＮコントローラ１１４を有しうる。ラジオ基地局１１２は、例えばデバイス１０５のようなモバイル・デバイスとのラジオ信号送受信に関連付けられた複数の構成要素（例えば、プロセッサ、変調器、マルチプレクサ、アンテナ等（図示せず））を備える送信機／受信機チェーンおよび／または複数のアンテナ・グループを含みうる。
【００１５】
１つの態様では、ＲＡＮコントローラ１１０は、ラジオ接続の確立および終了のみならず、ラジオ・セッション、リソース割当、および、ＲＡＮ１１０との間のモバイル・デバイス１０５のモビリティの管理を提供するネットワーク機器である。ＲＡＮ１１０の有効通信範囲に初めて入った場合、モバイル・デバイス１０５は、ＲＡＮコントローラ１１４からのパイロット同期信号を求めてリスンし、ネットワーク１１０に登録し、ＲＡＮコントローラ１１０を用いて、フローとしても知られている１または複数のラジオ・リンク・プロトコル（ＲＬＰ）接続を確立する。異なるＲＬＰフローが、音声サービス、データ・サービス、マルチメディア・サービス、およびシグナリング・サービスを含むラジオ・アクセス・ネットワーク１１０によって提供される異なるサービスのために生成されうる。１つの態様では、コントローラ１１４は、ＲＡＮ１１０に接続されたおのおののモバイル・デバイス１０５のために１または複数のラジオ・セッション・コンテキスト１１５を維持する。おのおののコンテキスト１１５は、モバイル・デバイスのＩＰアドレス、国際モバイル加入者識別情報（ＩＭＳＩ）番号、ＲＬＰフロー情報、サービス品質（ＱｏＳ）情報、およびその他のラジオ・セッション・パラメータを格納する。１つの態様では、モバイル・デバイスとの別のＲＬＰ接続のために、個別のコンテキストが生成されうる。
【００１６】
ＲＡＮコントローラ１１０はまた、例えばＡ１０データ・インタフェースおよびＡ１１シグナリング・インタフェースによって、モバイル・デバイス１１５とアクセス・ゲートウェイ１１６との間の接続を提供する。１つの態様では、ゲートウェイ１１６は、ＲＡＮ１１０のためのすべてのパケット・データ・トラフィックの出口および入口のポイントであることによって、ＲＡＮ１１０に接続されたモバイル・デバイス１０５から、例えばインターネットのような外部のパケット・データ・ネットワーク（ＰＤＮ）１２０への接続を提供する。この機能では、ゲートウェイ１１６は、データ・トラフィック入口／出口ＲＡＮ１１０のための認証、許可、および課金（ＡＡＡ）サービス、外部ネットワーク・デバイスへのポイント・トゥ・ポイント・プロトコル（ＰＰＰ）接続、モバイル・デバイス１０５のためのＩＰｖ４およびＩＰｖ６アドレス割当および管理、異なるＱｏＳ予約のためのポリシー施行およびパケット・フィルタリングを含むモバイル・デバイス１０５とのさまざまなデータ・トラフィックのためのサービス品質（ＱｏＳ）サポート、およびその他のサービスを提供しうる。この目的のために、ゲートウェイ１１６は、限定される訳ではないが、ＰＰＰセッション・パラメータ、ＡＡＡパラメータ、ＱｏＳ予約パラメータ、ＩＰセッション・パラメータ、データ・リンク・セッション・パラメータ、およびその他のタイプの情報を含む、モバイル・デバイス１０５へ提供されたさまざまなサービスのためのパラメータを含む１または複数のＰＤＮコンテキスト１１７を保持しうる。
【００１７】
１つの態様では、アクセス・ゲートウェイ１１６は、モバイルＩＰ規格および／またはプロキシ・モバイルＩＰ（ＰＭＩＰ）規格にしたがって、モバイル・デバイス１０５とのデータ送受信およびシグナルのためのモバイルＩＰｖ６およびＩＰｖ６のパケット伝送を提供するパケット・データ・サービス提供ノード（ＰＤＳＮ）として実施されうる。ＲＡＮ１１０が、接続されたモバイル・デバイス１０５のホーム・ネットワークにある場合、アクセス・ゲートウェイ１１６は、ホーム・ネットワークに位置するモバイル・デバイスのホーム・エージェント（ＨＡ）への接続を提供する。例えば、デバイスのホーム・ネットワーク１３０内の外部パケット・データ・ネットワーク（ＰＤＮ）ゲートウェイ１３５は、ローカル・モビリティ・エージェント／ホーム・エージェントとして機能しうる。この開示の目的のために、ＨＡはさらに、ローカル・モビリティ・アンカ（ＬＭＡ）を含んでいる。ＨＡは、モバイル・デバイスのホーム・ネットワークＩＰアドレス・プレフィクス（単数または複数）のためのトポロジカルなアンカ・ポイントであり、モバイル・デバイスのバインディング状態を管理するエンティティである。これによって、モバイル・デバイスは、デバイスのホーム・アドレス（ＨｏＡ）を変えることなく、ネットワーク間を移動できるようになる。バインディングは、ホーム・ネットワーク内のモバイル・デバイスのＨｏＡの、外部ネットワーク内の気付アドレス（ＣｏＡ）との関連付けである。ＩＰアドレス・バインディングによって、外部ネットワーク内のモバイル・デバイスの接続点に関わらず、ＩＰパケットがモバイル・デバイスにルート付けされるようになる。
【００１８】
別の態様では、ＲＡＮ１１０が、接続されたモバイル・デバイス１０５のための外部ネットワークにある場合、アクセス・ゲートウェイ１１６は、これらモバイル・デバイスのためのプロキシ・エージェントとして機能しうる。この機能では、モバイル・デバイス１０５がＲＡＮ１１０に登録した場合、アクセス・ゲートウェイ１１６は、デバイスのホーム・アドレスに関連付けられたバインディング状態を用いて、モバイル・デバイス１０５のＨＡを識別する。上述したように、デバイスのホーム・ネットワーク１３０内の外部ＰＤＮゲートウェイ１３５は、このホーム・エージェントとして機能しうる。その後、ゲートウェイ１１６は、デバイスのＨＡ１３５との双方向トンネル１３８を生成し、受信したパケットを、アクセス・ゲートウェイのソース・アドレスを気付アドレス（ＣｏＡ）として用いて、新たなパケット内にカプセル化し、カプセル化されたパケットを、トンネル１３８を介してホーム・エージェント１３５へ送信する。データ・パケットがトンネル１３８を介してＨＡ１３５から受信された場合、ゲートウェイ１１６は、これらを、ＨＡ１３５に関連付けられたバインディング状態情報に基づいてカプセル解除し、適切なベアラ接続およびＲＬＰフローを介してモバイル・デバイス１０５へ転送する。
【００１９】
アクセス・ゲートウェイ１１６が、上述したＰＤＮＳ機能を実施するイベントでは、アクセス・ゲートウェイ１１６は、モバイルＩＰ、または、ＲＡＮ１１０に接続されたおのおののモバイル・デバイス１０のためのプロキシ・モバイルＩＰ（ＰＭＩＰ）バインディング状態情報を、ＰＤＮコンテキスト１１７内に格納しうる。例えば、ＰＤＮコンテキスト１１７に格納されたバインディング状態情報は、限定される訳ではないが、モバイル・デバイスのホーム・エージェント・アドレス、ＰＤＮ１２０を介したさまざまなタイプのデータ・トラフィックの送信のためにモバイル・デバイス１０５に割り当てられるべきホーム・エージェント１３５によって提供されたＨｏＡプレフィクス（単数または複数）のリスト、ホーム・エージェント１３５とモバイル・デバイス１０５との間のデータ・トラフィックの送信のための双方向トンネル・セッティング、および、その他のタイプのバインディング状態情報を含みうる。
【００２０】
図１および図２に示すように、モバイル・デバイス１０５が、ＲＡＮ１１０Ａの有効通信範囲内に位置している間、このデバイスは、このネットワークに接続され、このデバイスとの間のすべてのトラフィックは、通常、ＲＡＮ１１０Ａによって取り扱われる。この場合、ＲＡＮ１１０Ａは、モバイル・デバイスのためのプライマリＲＡＴになる。デバイス１０５がＲＡＮ１１０Ａのセル間を移動すると、モバイル・デバイスとのラジオ接続が、いくつかの基地局１１２間、または、すべてが同じラジオ・アクセス技術を適用するＲＡＮ１１０ＡのいくつかのＲＡＮコントローラ１１４間を移動する。この接続の移動は、技術内ハンドオフと呼ばれる。しかしながら、モバイル・デバイス１０５が、異なるラジオ・アクセス技術を展開しているＲＡＮ１１０Ｂの有効通信範囲に移動すると、デバイス１０５は、ＲＡＮ１１０Ａとのすべての通信セッションを終了しながら、ＲＡＮ１１０Ｂへの接続の登録およびハンドオフを行いうる。この接続の移動は、技術間ハンドオフと呼ばれる。このハンドオフの後、ＲＡＮ１１０Ｂは、モバイル・デバイスのプライマリＲＡＴになる。
【００２１】
ソース・ネットワークからターゲット・ネットワークへの技術間ハンドオフを可能にするために、現在の無線通信規格は、バインディング（すなわち、ＩＰトラフィック）をソース・ネットワークからターゲット・ネットワークへ移動させることなく、マルチモード・モバイル・デバイスが、非プライマリＲＡＴとも呼ばれる１または複数の検出されたターゲット・ネットワークへの仮登録を可能にする仮登録手順を提供する。一般に、これらの規格は、プライマリＲＡＴと非プライマリＲＡＴとを接続するトンネルがネットワーク内に存在する場合にのみ、仮登録をサポートする。これは、ネットワーク支援された仮登録と呼ばれる。しかしながら、これらの規格は、プライマリＲＡＴと非プライマリＲＡＴとの間にトンネルが存在しない場合、仮登録のためのサポートを提供しない。言い換えれば、現在の無線通信規格は、デバイスによって開始されるダイレクトな仮登録をサポートしない。
【００２２】
したがって、本明細書では、さまざまなダイレクトな仮登録手順が開示される。非プライマリＲＡＴへの仮登録は、モバイル・デバイスによって、いくつかの異なる方式にて実行されうる。モバイル・デバイス１０５が、複数のラジオを有している場合、これらのラジオは、プライマリＲＡＴおよび非プライマリＲＡＴと独立して通信するために使用されうる。例えば、１つのラジオが、プライマリＲＡＴとのデータ・トラフィックをサポートするために使用され、別のラジオが、１または複数の非プライマリＲＡＴへのダイレクトな仮登録のために使用されうる。モバイル・デバイス１０５が１つのラジオしか有さない場合、モバイル・デバイスは、１または複数の非プライマリＲＡＴにダイレクトに仮登録するために、プライマリＲＡＴから一時的に離れる。
【００２３】
さらに詳しくは、ソース・ネットワーク１１０Ａからターゲット・ネットワーク（単数または複数）１１０Ｂへのスムースかつ高速な技術間ハンドオフを可能にするために、マルチモード・モバイル・デバイス１０５は、非プライマリＲＡＴのエア・インタフェースを用いて、バインディング（すなわち、ＩＰトラフィック）をソース・ネットワークからターゲット・ネットワークへ移動させることなく、非プライマリＲＡＴとも呼ばれる１または複数の検出されたターゲット・ネットワークにダイレクトに仮登録しうる。１つの態様では、１または複数の非プライマリＲＡＴに仮登録したモバイル・デバイスは、プライマリＲＡＴへの接続を維持し続け、モバイル・デバイス１０５が、プライマリＲＡＴの有効通信範囲エリアから出て、例えば、ラジオ信号の強度が、プライマリＲＡＴのものよりも実質的に高くなるように、非プライマリＲＡＴの有効通信範囲エリアに実際に入った場合にのみ、ターゲット・システムへハンドオフしうるか、あるいは、プライマリＲＡＴが、モバイル・デバイス１０５によって要求されたサービス品質をもはやサポートせず、モバイル・デバイスが、通信を継続するために、非プライマリＲＡＴへハンドオフしなければならないように、プライマリＲＡＴの負荷が、非プライマリＲＡＴの負荷を実質的に越える場合に、ターゲット・システムへハンドオフしうる。
【００２４】
第１の方法によって、モバイル・デバイスは、ＩＰバインディングまたはプロキシＩＰバインディングをプライマリＲＡＴから非プライマリＲＡＴへ移動させることなく、ターゲット・システム（単数または複数）におけるＩＰコンテキストのセット・アップを可能にする。第２の方法は、アクセス端末と非プライマリＲＡＴ（単数または複数）との間のシグナリング・サポートを提供し、プライマリＲＡＴが、モバイル・デバイスが現在使用しているもの以外の別のＲＡＴであり、「プライマリＲＡＴ」が、データ配信のために現在使用されているラジオ・アクセス技術であることを示す。言い換えれば、モバイル・デバイスは、ＩＰバインディング移動を必要とする実際の接続のためにではなく、仮登録のみを意図して、非プライマリＲＡＴとシグナリングを交換する。第３の方法は、プライマリＲＡＴにエア・インタフェース・サポートを提供し、非プライマリＲＡＴ（単数または複数）への仮登録を実行するためのタイム・オフを示す。第４の方法は、非プライマリＲＡＴのためのタイミング・メカニズム（単数または複数）を提供し、モバイル・デバイスとの登録をどれくらい長く維持するのかを示す。第５の方法は、プライマリＲＡＴにおけるＱｏＳセット・アップ／変化に基づいて、非プライマリＲＡＴ（単数または複数）のＱｏＳ維持を提供する。
【００２５】
これらおよびその他の方法は、ＬＴＥ技術およびｅＨＲＰＤ技術をサポートすることができるマルチモード・モバイル・デバイス３０５を備える通信システム３００を図示する図３を参照して以下に記載されるだろう。モバイル・デバイス３０５は、プライマリＲＡＴとして機能するＬＴＥネットワーク３１０に接続される。ＲＡＮ３１０は、１または複数のラジオ基地局３１２、ＲＡＮコントローラ３１４、およびアクセス・ゲートウェイ３１６を含んでいる。アクセス・ゲートウェイ３１６は、サービス提供ゲートウェイ（ＳＧＷ）としても知られている。ＳＧＷ３１６は、双方向トンネル３１８によって、モバイル・デバイス３０５のホーム・ネットワークに位置するＰＤＮゲートウェイ３３０と接続されている。ＳＧＷ３１６は、モバイル・デバイス３０５のためのプロキシ・エージェントとして機能し、ＰＤＮゲートウェイ３３０は、モバイル・デバイス３０５のためのホーム・エージェント（ＨＡ）またはローカル・モビリティ・アンカ（ＬＭＡ）として機能する。システム３００はさらに、非プライマリＲＡＴであるｅＨＲＰＤネットワーク３２０を含んでいる。ｅＨＲＰＤネットワーク３２０は、ラジオ基地局３２２、ＲＡＮコントローラ３２４、およびアクセス・ゲートウェイ３２６を含んでいる。アクセス・ゲートウェイ３２６は、ＨＲＰＤサービス提供ゲートウェイ（ＨＳＧＷ）としても知られている。通信システム３００のＲＡＮコントローラ３１４、３２４およびアクセス・ゲートウェイ３１６、３２６の機能は、前述した通信システム２００の対応する構成要素に実質的に類似していることが注目されるべきである。システム３００のインフラストラクチャは、単なる典型例であり、その他のラジオ・アクセス技術が、その他の態様で使用されうることもまた注目されるべきである。
【００２６】
１つの態様では、非プライマリＲＡＴ、すなわち、ｅＨＲＰＤ  ＲＡＮ３２０におけるモバイル・デバイス３０５の仮登録は、例えばｅＨＲＰＤコンテキストやＰＤＮコンテキストのように、ＰＰＰセッション・パラメータ、ＡＡＡ／ＨＳＳパラメータ、ＱｏＳパラメータ、ＩＰアドレス・バインディング・パラメータ、およびその他のパラメータを含むラジオ・セッション・コンテキスト（単数または複数）をネットワーク３２０においてセット・アップすることを含む。１つの態様では、モバイル・デバイス３０５は、当該技術で周知の標準的なｅＨＲＰＤエア・インタフェース・シグナリング技術を用いて、ｅＨＰＲＤネットワーク・コントローラとのｅＨＲＰＤラジオ・セッション・コンテキストを確立しうる。別の態様では、モバイル・デバイス３０５は、ＲＡＮ３２０の標準的なＰＤＮ接続によって、ＰＤＮコンテキストをセット・アップしうる。しかしながら、ｅＨＲＰＤおよびほとんどのその他の現在の技術では、ラジオ・アクセス・ネットワークとのＰＤＮ接続の、モバイル・デバイスによる確立によって、アクセス・ゲートウェイ３２６のＰＤＮゲートウェイ３３０へのバインディングを引き起こす。このバインディングは、未だにプライマリＲＡＴであるＬＴＥゲートウェイ３１６からのすべてのトラフィックを、非プライマリＲＡＴとして機能することが意図されているｅＨＲＰＤアクセス・ゲートウェイ３２６へと直ちに再ルーティングするだろう。しかしながら、この再ルーティングは、モバイル・デバイスによって許可または意図されていない。したがって、プライマリＲＡＴのバインディングを、非プライマリＲＡＴと切り換えることなく、非プライマリＲＡＴエア・インタフェースによるＰＤＮ接続手順をイネーブルするための方法が必要とされる。
【００２７】
この必要性に対処するために、１つの態様では、アクセス・ゲートウェイ３２６が、モバイル・デバイス３０５からのＰＤＮ接続に応答して、ＰＤＮゲートウェイ３３０との仮バインディング３２８を実行しうる。この仮バインディングによって、アクセス・ゲートウェイ３２６は、ＰＤＮゲートウェイ３３０からバインディング状態情報を収集し、ＰＤＮゲートウェイ３２６に対して、プライマリＲＡＴ３１０から非プライマリＲＡＴ３２０へ、モバイル・デバイス３０６のデータの再ルーティングを実際にトリガさせることなく、モバイル・デバイス３０５のＰＤＮコンテキスト（単数または複数）をセット・アップする。仮バインディングを実行するために、１つの態様では、ＨＳＧＷ３２６とＰ−ＧＷ１３０との間で送信されるプロキシ・バインディング・アップデート（ＰＢＵ）メッセージおよびプロキシ・バインディング・アクノレッジメント（ＰＢＡ）メッセージに、新たなシグナリング・フラグが追加されうる。これらのメッセージは、一般に、モバイル・デバイスのバインディング状態情報を、ホーム・ネットワークから要求／受信するために使用される。新たなシグナリング・フラグは、ＨＳＧＷ３２６が、非プライマリＲＡＴに関連付けられていることと、ＳＧＷ３１６に関連付けられたモバイル・デバイスの現在の気付アドレス（ＣｏＡ）が、この時に変更されるべきではないこととを示すだろう。
【００２８】
別の態様では、アクセス・ゲートウェイ３２６は、モバイル・デバイス３０５からＰＤＮシグナリングを受信した後、直ちに、バインディング状態情報を要求する必要はない。むしろ、ＨＳＧＷ３２６は、モバイル・デバイス３０５が実際にソース・システム３１０からターゲット・システム３２０へのハンドオフを実行した場合、標準的なＰＢＵ／ＰＢＡメッセージを用いて、ＰＤＮ接続コンテキストをキャッシュし、ＰＤＮゲートウェイ３３０とのバインディングを生成しうる。１つの事例では、アクセス・ゲートウェイ３２６は、モバイル・デバイスから、ＰＤＮコンテキスト情報の一部を取得しうる。別の事例では、ゲートウェイ３２６は、ＡＡＡサーバまたはホーム加入者サーバ（ＨＳＳ）から、ＰＤＮコンテキスト情報の別の一部を取得しうる。また、別の事例では、ゲートウェイ３２６は、例えば、Ｓ１０３トンネルを介したコンテキスト移動を用いて、アクセス・ゲートウェイ３１６から、ＰＤＮコンテキスト情報の一部を取得しうる。したがって、モバイル・デバイスは、これらの方法を用いて、ＩＰバインディング状態（例えば、プロキシ・モバイルＩＰバインディング）をプライマリＲＡＴから非プライマリＲＡＴへ移動させることなく、ターゲット・システム（単数または複数）においてＰＤＮコンテキスト（単数または複数）をセット・アップしうる。ＨＳＧＷは、このコンテキストを、キャッシュ済みコンテキストとしてマークし、ＨＳＧＷは、明示的な技術間ハンドオフがＨＳＧＷに示されるまで、ＰＤＮゲートウェイとのバインディングを開始しないだろう。
【００２９】
別の態様では、モバイル・デバイス３０５がソース・システム（すなわち、プライマリＬＴＥ  ＲＡＴ３１０）に接続されている間、ターゲット・システム（すなわち、非プライマリＲＡＴ）に「プリセット」されたコンテキスト（単数または複数）は、モバイル・デバイスが移動する間、維持されねばならない。そして、例えば、古いサービスが終了し、新たなサービスが追加された場合、プライマリＲＡＴにおけるセッションおよびＩＰコンテキスト（単数または複数）は変化する。したがって、モバイル・デバイスは、ターゲット・システム（単数または複数）（例えば、非プライマリｅＨＲＰＤ  ＲＡＴ３２０）に定期的に合わせ、ラジオ・セッションおよび／またはモビリティ管理のために必要なシグナリング交換を実行する必要がある。しかしながら、現在のシグナリング・メカニズムは、プライマリＲＡＴが、モバイル・デバイスが現在アクセスしているものとは別のＲＡＴであることをターゲット・ネットワーク（単数または複数）へ示す機能を持たない。現在、モバイル・デバイスとターゲット・ネットワーク（例えば、ＲＡＮ３２０）との間のほとんどのシグナリング・メッセージによって、アクセス・ネットワークは、モバイル・デバイスがアクセス・ネットワークにおいてアクティブであることを、アクセス・ゲートウェイ（例えば、ＨＧＳＷ３２６）へシグナルするであろう。したがって、アクセス・ゲートウェイ（例えば、ＨＳＧＷ３２６）は、このアクセス・システムのためのＩＰバインディングを開始し、このシステムを、プライマリＲＡＴとする。ただし、この切り換えは、モバイル・デバイスによって意図されていない。
【００３０】
１つの態様では、この問題に対処するために、モバイル・デバイスとアクセス・ゲートウェイとの間におけるシグナルのために、エア・インタフェースおよびＡインタフェース（ＩＯＳシグナリング）を用いて、新たなシグナリングが、モバイル・デバイスとターゲット・ネットワークとの間に導入されうる。例えば、ｅＨＲＰＤ  ＲＡＮ３２０の場合、トラフィック・チャネルが登録維持目的のためにプリセットされていることを示すように、トラフィック・チャネルをセット・アップする目的で、モバイル・デバイス３０５によって送信される接続要求メッセージにおいて、新たなフラグが使用されうる。モバイル・デバイス３０５とｅＨＲＰＤアクセス・ネットワーク３２０との間のシグナリングに基づいて、ＲＡＮコントローラ３２４は、プライマリＲＡＴがｅＨＲＰＤではないことをＨＳＧＷ３２６へシグナルする。別の態様では、モバイル・デバイス３０５とアクセス・ゲートウェイ３２６との間の新たなリンク・レベル／ＩＰシグナリング（例えば、ＰＰＰまたはＮＡＳレベル・シグナリング）は、モバイルＩＰバインディング（またはＰＭＩＰバインディング）をいつ開始するのかをアクセス・ゲートウェイ３２６に示すために使用されうる。また別の事例では、ＩＰコンテキスト・セット・アップ手順が、バインディング手順から切り離される。これによって、既に詳しく説明したように、モバイル・デバイス３０５は、バインディング手順を制御し、バインディング状態を変更することなく、アクセス・ゲートウェイ３２６と、ＰＤＮコンテキスト（単数または複数）をセット・アップできるようになる。
【００３１】
前述したように、非プライマリＲＡＴにおけるＰＤＮコンテキスト（単数または複数）およびラジオ・セッションをプリセットおよび維持するために、シングル・ラジオ・マルチモード・モバイル・デバイスは、ソース・システム（例えば、ＬＴＥ３１０）から離れ、ターゲット・システム（例えば、ｅＨＲＰＤ３２０）に合わせる必要がある。しかしながら、ソース・システムから離れることによって、ソース・システムにおけるページおよびデータの喪失をもたらしうる。１つの態様では、この問題に対処するために、モバイル・デバイスが、ＲＡＴにおける登録維持を実行するために離れることを、非プライマリＲＡＴに示すために、新たなシグナリングが、ソース・システム、すなわちプライマリＲＡＴに導入されうる。例えば、ＬＴＥ技術では、ターゲット・システムにおける登録維持のために、モバイル・デバイスが離れることをＬＴＥネットワークに示すために、拡張サービス要求メッセージが拡張されうる。
【００３２】
ターゲット・システム上のリソースを最適化するために、非プライマリＲＡＴにおいてプリセットされ、一定期間使用されないコンテキストが削除されうる。１つの態様では、この必要性に対処するために、ターゲット・システム（単数または複数）におけるプリセット登録（単数または複数）を終了するために、非プライマリＲＡＴ（単数または複数）のおのおののために登録終了タイマが使用されうる。おのおののＲＡＴについて、タイマが、モバイル・デバイスとＲＡＴシステムとの間のシグナリングを通じて、モバイル・デバイスによって設定されうる。例えば、ｅＨＲＰＤネットワーク３２０の場合、エア・インタフェースおよびＡ１１シグナリング、ベンダ特有プロトコル（ＶＳＰ）、または、リソース予約プロトコル（ＲＳＶＰ）メッセージが、登録終了タイマの値をネゴシエートするために拡張されうる。モバイル・デバイスおよび非プライマリＲＡＴアクセス・ゲートウェイ（例えば、ＨＳＧＷ３２６）の両方は、モバイル・デバイスがネットワークに接続する毎にタイマを起動しうる。モバイル・デバイスは、おのおの非プライマリＲＡＴ用である、複数のタイマを保持しうる。１つの態様では、ターゲット・システムにおいてタイマが終了する前に、モバイル・デバイスは、時間切れおよび登録情報の喪失を回避するために、ターゲット・システムに合わせ、システムの登録タイマをリセットしうる。
【００３３】
プライマリＲＡＴ（例えば、ＬＴＥ３１０）にあり、非プライマリＲＡＴ（例えば、ｅＨＲＰＤ３２０）とのセッションを予備確立したモバイル・デバイスのために、ＱｏＳが、非プライマリＲＡＴ（単数または複数）のおのおのについて最新状態に維持される必要がある。例えば、ＱｏＳがプライマリＬＴＥ  ＲＡＴ３１０において更新された場合、一般に、ＰＣＲＦ（ポリシーおよび課金ルール機能）が、非プライマリｅＨＲＰＤ  ＲＡＮ３２０におけるＢＢＥＲＦ（ベアラ・バインディングおよびイベント・レポート機能）へのＳ１０３トンネルによるコンテキスト転送プロトコルによって、ＱｏＳ更新情報をプッシュする。しかしながら、モバイル・デバイスは、このＱｏＳ更新時に、ｅＨＲＰＤに接続されず、ＨＳＧＷ３２６は、受信したＱｏＳ情報を用いて何をすべきか分らないだろう。１つの態様では、この問題に対処するために、ＰＣＲＦは、ＱｏＳ情報を、ゲートウェイ３２６へ自動的にプッシュするのではなく、キャッシュし、モバイル・デバイスが、非プライマリＲＡＴ維持を実行するために離れることをＲＡＴ３１０に通知した場合に、アクセス・ゲートウェイ３２６へ転送するように構成されうる。別の態様では、ゲートウェイ３１６は、ＱｏＳ情報をキャッシュし、ターゲット・システムへのハンドオフ中にＩＰバインディングが実行された場合に、モバイル・デバイスへ転送しうる。また、別の態様では、ＰＤＮゲートウェイ３３０は、ＱｏＳ情報をキャッシュし、ターゲット・システムとのＩＰバインディングが実行された場合、バインディング・アクノレッジメント・メッセージを用いて、ターゲット・アクセス・ゲートウェイ３２６へ転送しうる。
【００３４】
１つの態様では、非プライマリＲＡＴは、フルＰＤＮコンテキストまたは部分的ＰＤＮコンテキストを保持するか、あるいは、ＰＤＮコンテキストをまったく保持しないように構成されうる。フルＰＤＮコンテキストは、限定される訳ではないが、ＰＰＰセッション・パラメータ、ＡＡＡパラメータ、ＱｏＳ予約パラメータ、モバイルＩＰバインディング状態パラメータ、データ・リンク・セッション・パラメータ、および、例えばインターネットのようなパケット・データ・ネットワークを介したモバイル・デバイス３０５との間のデータ・トラフィックの送信のために使用されるその他のタイプの情報を含みうる。部分的なＰＤＮコンテキストは、フルＰＤＮコンテキストに格納されたパラメータのすべてよりも少ないものを含む。この目的のために、ターゲット・アクセス・ネットワーク・ゲートウェイ（例えば、ＨＳＧＷ３２６）が、フルＰＤＮコンテキストをサポートするか否かに関する情報が、明示的にシグナルされねばならない。例えば、モバイル・デバイス３０５とＨＳＧＷ３２６との間で、新たなシグナリング情報が交換され、フル・コンテキスト、部分的なコンテキスト、あるいは、コンテキスト不在といったどのタイプのコンテキストが維持されているかが示される。この情報は、例えば、ＶＳＮＣＰ（ベンダ特有のネットワーク制御プロトコル）を用いて、ハンドオフ時に通信されうる。１つの態様では、モバイル・デバイス３０５が、非プライマリＲＡＴ（例えば、ｅＨＲＰＤ  ＲＡＮ３２０）へのハンドオフを試みる場合、モバイル・デバイスが問い合わせを行い、ネットワークは、新たなシグナリング・メカニズムを用いて、ネットワークにプリセットされたフルＰＤＮコンテキストを有するか否かを答える。フル・コンテキストがプリセットされている場合、モバイル・デバイスおよびネットワークは、すでに確立されているコンテキストを使用しうる。例えば、ＩＰバインディング状態情報が失われているように、部分的なコンテキストしか利用可能ではない場合、アクセス・ゲートウェイＨＳＧＷ３２６は、プライマリＲＡＴ３１０のＳＧＷ３１６から、または、ＰＤＮゲートウェイ３３０から、喪失情報を取得しうる。ＰＤＮコンテキストが、非プライマリＲＡＴにプリセットされていない場合、ラジオ・アクセス・システムは、現在のセッションのために使用される新たなコンテキストの生成を続けるだろう。
【００３５】
図４は、非プライマリＲＡＴへの仮登録のための方法の１つの態様を例示する。ステップ４１０では、マルチモード・モバイル・デバイスを、プライマリＲＡＴに登録し、接続する。ステップ４２０では、モバイル・デバイスが、非プライマリＲＡＴの存在を検出する。プライマリＲＡＴおよび非プライマリＲＡＴは、マルチモード・モバイル・デバイスによってサポートされている異なる複数のラジオ・アクセス技術を有する。ステップ４３０では、モバイル・デバイスは、プライマリＲＡＴから離れ、非プライマリＲＡＴへの仮登録を行う。ステップ４４０では、モバイル・デバイスは、非プライマリＲＡＴと、ラジオ・セッション・コンテキストをセット・アップする。ステップ４５０では、モバイル・デバイスは、非プライマリＲＡＴと、フルまたは部分的なＰＤＮコンテキストをセット・アップする。ステップ４６０では、モバイル・デバイスは、外部のＰＤＮゲートウェイとの仮バインディングをセット・アップして、プライマリＲＡＴから非プライマリＲＡＴへバインディング状態を移動することなく、バインディング状態情報を取得する。取得されたバインディング状態情報は、非プライマリＲＡＴのＰＤＮコンテキストにキャッシュされうる。ステップ４７０では、モバイル・デバイスは、プライマリＲＡＴに戻る。ステップ４８０では、モバイル・デバイスは、プリセットされたラジオ・セッションを用いてプライマリＲＡＴから非プライマリＲＡＴへハンドオフし、キャッシュされたＰＤＮコンテキストを用いてＰＤＮゲートウェイとのバインディングを生成する。
【００３６】
図５は、プリセットされた、非プライマリＲＡＴ（単数または複数）への登録（単数または複数）を維持するための方法の１つの態様を例示する。ステップ５１０では、モバイル・デバイスは、非プライマリＲＡＴ（単数または複数）への登録（単数または複数）を維持するために、プライマリＲＡＴに対して、離れることをシグナルする。ステップ５２０では、プライマリＲＡＴは、例えば、このシグナルに応答して、モバイル・デバイスとの現在の通信セッションのためのサービス品質（ＱｏＳ）更新情報を非プライマリＲＡＴに転送するように構成されうる。ステップ５３０では、モバイル・デバイスは、登録の維持を実行すること、および、非プライマリＲＡＴへハンドオフしないこと、を意図していることを、非プライマリＲＡＴにシグナルする。ステップ５４０では、モバイル・デバイスは、例えば、ステップ５２０においてプライマリＲＡＴによって提供されたＱｏＳ更新情報を用いて、モバイル・デバイスに関連付けられたＰＤＮコンテキストおよびラジオ・セッション・コンテキストを更新するように非プライマリＲＡＴにシグナルしうる。ステップ５５０では、モバイル・デバイスはまた、登録終了タイマ（単数または複数）を設定またはリセットするように、非プライマリＲＡＴにシグナルしうる。あるいは、ステップ５６０において、モバイル・デバイスが、モバイル・デバイスに関連付けられたいくつかまたはすべてのコンテキスト（単数または複数）を削除するように、非プライマリＲＡＴにシグナルしうる。ステップ５７０において、モバイル・デバイスは、プライマリＲＡＴに戻る。
【００３７】
図６は、プライマリＲＡＴから非プライマリＲＡＴへのハンドオフの方法の別の態様を例示する。ステップ６１０では、モバイル・デバイスが、プライマリＲＡＴから非プライマリＲＡＴへのハンドオフを開始する。ステップ６２０では、モバイル・デバイスは、非プライマリＲＡＴにおいて、フルＰＤＮコンテキストまたは部分的なＰＤＮコンテキストがプリセットされているか、ＰＤＮコンテキストがまったくプリセットされていないかを判定する。ステップ６３０において、モバイル・デバイスが、フルＰＤＮコンテキストが非プライマリＲＡＴにおいてプリセットされていると判定した場合、ステップ６７０において、モバイル・デバイスは、プリセットされたＰＤＮコンテキストを用いて、プライマリＲＡＴから非プライマリＲＡＴへのハンドオフを完了しうる。ステップ６４０において、部分的なＰＤＮコンテキストが非プライマリＲＡＴにプリセットされているとモバイル・デバイスが判定すると、ステップ６６０において、アクセス・システムが、要求されたＰＤＮパラメータを、モバイル・デバイス、プライマリＲＡＴ、または外部のＰＤＮゲートウェイから取得し、ＰＤＮコンテキストを、フル状態に更新しうる。ステップ６４０において、何れのＰＤＦコンテキストも、非プライマリＲＡＴにプリセットされていないと判定されると、ステップ６５０において、ターゲット・システムが、新たなＰＤＮコンテキストを生成し、モバイル・デバイス、プライマリＲＡＴ、および外部のＰＤＮゲートウェイから取得したパラメータで満たす。ステップ６７０では、モバイル・デバイスが、完全なＰＤＮコンテキストを用いて、プライマリＲＡＴから非プライマリＲＡＴへのハンドオフを完了する。
【００３８】
図７は、本明細書に記載された方法のさまざまな態様が実現される無線通信システム７００の限定しない例を示す。このシステム７００は、簡略のために、ラジオ・アクセス・ネットワーク内の１つの基地局／順方向リンク送信機７１０と、１つのモバイル・デバイス７５０しか示していない。しかしながら、システム７００は、１より多い基地局／順方向リンク送信機および／または１より多いモバイル・デバイスを含むことができ、ここでは、追加の基地局／送信機および／またはモバイル・デバイスが、後述する基地局／順方向リンク送信機７１０およびモバイル・デバイス７５０の例と実質的に類似しているか、または、異なりうることが認識されるべきである。それに加えて、基地局／順方向リンク送信機７１０および／またはモバイル・デバイス７５０は、異なるアクセス技術にわたる複数の登録を容易にするために、本明細書に記載されたシステム（図１乃至図３、図８乃至図９）および／または方法（図４乃至図６）を適用しうることが認識されるべきである。
【００３９】
基地局／順方向リンク送信機７１０では、多くのデータ・ストリームのトラフィック・データが、データ・ソース７１２から送信（ＴＸ）データ・プロセッサ７１４へ提供される。一例によれば、おのおののデータ・ストリームが、それぞれのアンテナを介して送信される。ＴＸデータ・プロセッサ７１４は、トラフィック・データ・ストリームをフォーマットし、このデータ・ストリームのために選択された特定の符号化スキームに基づいて符号化し、インタリーブして、符号化されたデータを提供する。
【００４０】
おのおののデータ・ストリームの符号化されたデータは、直交周波数分割多重化（ＯＦＤＭ）技術を用いてパイロット・データと多重化されうる。さらに、あるいは、その代わりに、パイロット・シンボルは、周波数分割多重化（ＦＤＭ）、時分割多重化（ＴＤＭ）、あるいは符号分割多重化（ＣＤＭ）されうる。パイロット・データは一般に、既知の方法で処理される既知のデータ・パターンであり、チャネル応答を推定するためにモバイル・デバイス７５０において使用されうる。おのおののデータ・ストリームについて多重化されたパイロットおよび符号化されたデータは、データ・ストリームのために選択された特定の変調スキーム（例えば、バイナリ・フェーズ・シフト・キーイング（ＢＰＳＫ）、直交フェーズ・シフト・キーイング（ＱＰＳＫ）、Ｍフェーズ・シフト・キーイング（Ｍ−ＰＳＫ）、Ｍ直交振幅変調（Ｍ−ＱＡＭ）等）に基づいて変調（例えば、シンボル・マップ）され、変調シンボルが提供される。おのおののデータ・ストリームのデータ・レート、符号化、および変調は、プロセッサ８３０によって実行または提供される指示によって決定されうる。
【００４１】
データ・ストリームの変調シンボルは、（例えば、ＯＦＤＭのために）変調シンボルを処理するＴＸ  ＭＩＭＯプロセッサ７２０に提供される。ＴＸ  ＭＩＭＯプロセッサ７２０はその後、ＮＴ個の変調シンボル・ストリームを、ＮＴ個の送信機（ＴＭＴＲ）７２２ａ乃至７２２ｔへ提供する。さまざまな態様において、ＴＸ  ＭＩＭＯプロセッサ７２０は、データ・ストリームのシンボルへ、および、シンボルが送信されるアンテナへ、ビームフォーミング重みを適用する。
【００４２】
おのおのの送信機７２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。さらに、送信機７２２ａ乃至７２２ｔからのＮＴ個の変調信号は、ＮＴ個のアンテナ７２４ａ乃至７２４ｔそれぞれから送信される。
【００４３】
モバイル・デバイス７５０では、送信された変調信号が、ＮＲ個のアンテナ７５２ａ乃至７５２ｒによって受信され、各アンテナ７５２から受信された信号が、それぞれの受信機（ＲＣＶＲ）７５４ａ乃至７５４ｒへと提供される。おのおのの受信機７５４は、それぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００４４】
ＲＸデータ・プロセッサ７６０は、ＮＲ個の受信機７５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ７６０は、検出されたおのおののシンボル・ストリームを復調し、デインタリーブし、復号して、そのデータ・ストリームのためのトラフィック・データを復元する。ＲＸデータ・プロセッサ７６０による処理は、基地局／順方向リンク送信機７１０におけるＴＸ  ＭＩＭＯプロセッサ７２０およびＴＸデータ・プロセッサ７１４によって行なわれるものに対して相補的である。
【００４５】
プロセッサ７７０は、上述したように、どの事前符号化行列を使用するのかを定期的に決定する。さらに、プロセッサ７７０は、行列インデクス部およびランク値部を備えた逆方向リンク・メッセージを規定することができる。
【００４６】
逆方向リンク・メッセージは、通信リンクおよび／または受信されたデータ・ストリームに関するさまざまなタイプの情報を備えうる。逆方向リンク・メッセージは、データ・ソース７３６からの多くのデータ・ストリームのトラフィック・データをも受信するＴＸデータ・プロセッサ７３８によって処理され、変調器７８０によって変調され、送信機７５４ａ乃至７５４ｒによって調整され、基地局／順方向リンク送信機７１０へ送り戻される。
【００４７】
基地局／順方向リンク送信機７１０では、モバイル・デバイス７５０からの調整された信号が、アンテナ７２４によって受信され、受信機７２２によって調整され、復調器７４０によって復調され、ＲＸデータ・プロセッサ７４２によって処理されて、モバイル・デバイス７５０によって送信された逆方向リンク・メッセージが抽出される。さらに、プロセッサ７３０は、ビームフォーミング重みを決定するためにどの事前符号化行列を使用するかを決定するために、この抽出されたメッセージを処理する。データは、順方向リンクによってのみブロードキャストされるので、順方向リンク送信機７１０の場合、基地局とは逆に、これらのＲＸ構成要素は存在しないことが認識されるべきである。
【００４８】
プロセッサ７３０およびプロセッサ７７０は、基地局／順方向リンク送信機７１０およびモバイル・デバイス７５０それぞれにおける動作を指示（例えば、制御、調整、管理等）しうる。プロセッサ７３０およびプロセッサ７７０はそれぞれ、プログラム・コードおよびデータを格納するメモリ７３２およびメモリ７７２に関連付けられうる。プロセッサ７３０およびプロセッサ７７０はまた、アップリンクおよびダウンリンクそれぞれのための周波数およびインパルス応答推定値を導出する計算をも実行する。
【００４９】
図８に移って、１つの態様にしたがって、異なるラジオ・アクセス技術にわたる複数の登録を実行するためのシステム８００が例示される。システム８００は、マルチモード・モバイル・デバイス内に存在しうる。図示するように、システム８００は、プロセッサ、ソフトウェア、または（例えば、ファームウェアのような）これらの組み合わせによって実現される機能を表しうる。システム８００は、異なるラジオ・アクセス技術にわたるマルチモード・モバイル・デバイスの複数の登録を容易にする電子構成要素の論理グループ８１０を含む。論理グループ８１０は、モバイル・デバイスをプライマリＲＡＴに登録する手段８２０を含みうる。さらに、論理グループ８１０は、モバイル・デバイスを、１または複数の非プライマリＲＡＴに仮登録する手段８３０を含みうる。プライマリＲＡＴおよび非プライマリＲＡＴ（単数または複数）は異なる技術を有する。さらに、論理グループ８１０は、非プライマリＲＡＴ（単数または複数）にラジオ・セッション・コンテキストおよびＰＤＮコンテキストをセット・アップする手段８４０を含みうる。さらに、論理グループ８１０は、モバイル・デバイスに関連付けられたバインディング状態情報を取得するために、外部のＰＤＮゲートウェイとの仮バインディングをセット・アップする手段８５０を含みうる。最後に、論理グループ８１０は、バインディング状態情報をＰＤＮコンテキストに追加する手段８６０を含みうる。さらに、論理グループ８１０は、プライマリＲＡＴと非プライマリＲＡＴとの間のハンドオフを実行する手段（図示せず）を含みうる。さらに、システム８００は、電子構成要素８２０−８６０に関連付けられた機能を実行するための命令群を保持するメモリ８７０を含みうる。メモリ８７０の外側にあるとして示されているが、電子構成要素８２０−８６０は、メモリ８７０内に存在しうることが理解されるべきである。
【００５０】
図９は、本明細書に開示された方法にしたがって、異なるラジオ・アクセス技術にわたる複数の登録を実行するように動作可能なマルチモード・モバイル・デバイス９００の例を例示する。モバイル・デバイス９００は、本明細書に記載された構成要素および機能のうちの１または複数に関連付けられた処理機能を実行するプロセッサ９１０を含む。プロセッサ９１０は、単一または複数のセットのプロセッサであるか、あるいは、マルチコア・プロセッサのセットでありうる。モバイル・デバイス９００はさらに、プロセッサ９１０に接続され、プロセッサ９１０によって実行されるさまざまなアプリケーションのローカル・バージョンを格納するメモリ９２０を含む。メモリ９２０は、例えば、ランダム・アクセス・メモリ（ＲＡＭ）、読取専用メモリ（ＲＯＭ）、磁気ディスク、光ディスク、揮発性メモリ、不揮発性メモリ、およびこれらの任意の組み合わせのように、コンピュータによって使用可能な任意のタイプのメモリを含みうる。
【００５１】
さらに、モバイル・デバイス９００は、プロセッサ９１０に接続され、本明細書に記載されたように、ハードウェア、ソフトウェア、およびサービスを利用する１または複数のラジオ・アクセス・ネットワークとの通信を確立および維持する、例えば、ラジオ・トランシーバ（単数または複数）のような１または複数の通信構成要素９３０を含む。例えば、通信構成要素９３０は、外部のラジオ・ネットワークやデバイスとインタフェースするよう動作可能な送信機および受信機に関連付けられた送信チェーン構成要素および受信チェーン構成要素を含む。それに加えて、モバイル・デバイス９００はさらに、プロセッサ９１０に接続されたデータ・ストア９４０を含む。データ・ストア９４０は、ハードウェアおよび／またはソフトウェアの任意の適切な組み合わせであることができ、本明細書に記載された態様に関連して適用されるプログラム、データベース、および情報の大容量記憶を提供する。例えば、データ・ストア９４０は、プロセッサ９１０によって現在実行されていないアプリケーションのためのデータ・リポジトリでありうる。
【００５２】
モバイル・デバイス９００は、プロセッサ９１０に接続されたユーザ・インタフェース構成要素９５０を含みうる。ユーザ・インタフェース構成要素９５０は、モバイル・デバイス９００のユーザからの入力を受信するように動作可能であり、さらに、ユーザに提示するための出力を生成するように動作可能である。ユーザ・インタフェース構成要素９５０は、限定される訳ではないが、キーボード、テンキー、マウス、タッチ画面、ナビゲーション・キー、ファンクション・キー、マイクロホン、音声認識構成要素、ユーザからの入力を受信可能なその他のメカニズム、あるいはこれらの任意の組み合わせを含む１または複数の入力デバイスを含むことができる。さらに、ユーザ・インタフェース構成要素９５０は、限定される訳ではないが、ディスプレイ、スピーカ、触覚型フィードバック・メカニズム、プリンタ、ユーザに出力を提示することが可能なその他任意のメカニズム、またはこれらの任意の組み合わせを含む１または複数の出力デバイスを含むことができる。
【００５３】
一例である態様において、プロセッサ９１０は、通信構成要素９３０に対して、モバイル・デバイス９００のプライマリＲＡＴへの登録および接続を実行するように指示するプライマリＲＡＴ登録モジュール９６０を含む。プロセッサ９１０はさらに、通信構成要素９３０に対して、プライマリＲＡＴとは異なる１または複数の非プライマリＲＡＴにおける仮登録とコンテキスト・セット・アップとを行うように指示する非プライマリＲＡＴ仮登録モジュール９７０を含みうる。プロセッサ９１０はさらに、通信構成要素９３０に対して、モバイル・デバイスとの通信を、プライマリＲＡＴから非プライマリＲＡＴへハンドオフさせるように指示するハンドオフ・モジュール９８０を含みうる。プロセッサ９１０はさらに、本明細書に開示された方法にしたがって、異なるアクセス技術にわたって複数の登録を実行するためのその他のモジュールを含みうる。
【００５４】
本開示で使用されるように、用語「構成要素」、「モジュール」、「システム」等は、ハードウェア、ファームウェア、ハードウェアとソフトウェアとの組み合わせ、ソフトウェア、あるいは実行中のソフトウェアのうちの何れかであるコンピュータ関連エンティティを含むことが意図されている。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピューティング・デバイス上で実行中のアプリケーションと、コンピューティング・デバイスとの両方が構成要素となりうる。１または複数の構成要素は、プロセスおよび／または実行スレッド内に存在し、構成要素は、１つのコンピュータに局在化されるか、および／または、２つ以上のコンピュータに分散されうる。さらに、これらの構成要素は、さまざまなデータ構造を格納したさまざまなコンピュータ読取可能媒体から実行可能である。これら構成要素は、信号によって、ローカル・システムや分散システム内の他の構成要素とインタラクトする、および／または、例えばインターネットやその他のタイプのパケット交換ネットワークのようなネットワークを介してその他のシステムとインタラクトする、１つの構成要素からのデータのような、１または複数のデータ・パケットを有する信号にしたがって、ローカル処理および／またはリモート処理によって通信することができる。
【００５５】
さらに、本明細書に記載された異なるラジオ・アクセス・ネットワークにわたる技術間登録およびハンドオフのための方法のさまざまな態様または特徴は、標準的なプログラミング技術および／またはエンジニアリング技術を用いた方法、装置、または製造物品として実現されうる。本明細書で使用されるような用語「製造物品」は、任意の非一時的コンピュータ読取可能デバイスまたは媒体からアクセス可能なコンピュータ・プログラムを包含することが意図されている。例えば、コンピュータ読取可能媒体は、限定される訳ではないが、磁気記憶装置（例えば、ハード・ディスク、フロッピー（登録商標）ディスク、磁気ストリップ等）、光ディスク（例えば、コンパクト・ディスク（ＣＤ）、ＤＶＤ等）、スマート・カード、およびフラッシュ・メモリ・デバイス（例えば、ＥＰＲＯＭ、カード、スティック、キー・ドライブ等）を含みうる。さらに、本明細書に記載されたさまざまな記憶媒体は、情報を格納するための１または複数のデバイス、および／または、その他の非一時的機械読取可能媒体を表すことができる。用語「機械読取可能媒体」は、限定されることなく、無線チャネル、および、命令群および／またはデータを格納または包含することができるその他任意の媒体を含みうる。
【００５６】
本明細書で開示された実施形態に関連して記述されたさまざまな例示的なロジック、論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。汎用プロセッサとしてマイクロ・プロセッサを用いることが可能であるが、代わりに、従来技術によるプロセッサ、コントローラ、マイクロ・コントローラ、あるいは順序回路を用いることも可能である。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。それに加えて、少なくとも１つのプロセッサは、上述したステップおよび／または動作のうちの１または複数を実行するように動作可能な１または複数のモジュールを備えうる。
【００５７】
さらに、本明細書に開示された態様に関連して記載された方法またはアルゴリズムからなるステップおよび／または動作は、ハードウェア内に直接的に組み込まれるか、プロセッサによって実行されるソフトウェア・モジュール内に組み込まれるか、これら２つの組み合わせに組み込まれうる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは、当該技術で周知のその他任意の形態の記憶媒体内に存在しうる。典型的な記憶媒体は、プロセッサに結合されており、これによって、プロセッサは、記憶媒体との間で情報を読み書きできるようになる。あるいは、この記憶媒体は、プロセッサに統合されうる。さらに、いくつかの態様では、プロセッサと記憶媒体が、ＡＳＩＣ内に存在しうる。さらに、ＡＳＩＣは、ユーザ端末に存在することができる。あるいは、プロセッサおよび記憶媒体は、ユーザ端末内のディスクリート部品として存在しうる。さらに、いくつかの態様では、方法またはアルゴリズムのステップおよび／または動作は、機械読取可能媒体および／またはコンピュータ読取可能媒体上の１または任意の組み合わせ、または、コードおよび／または命令群のセットとして存在する。これらは、コンピュータ・プログラム製品に組み込まれうる。
【００５８】
前述した開示は、例示的な態様および／または実施形態を開示しているが、さまざまな変更および修正が、特許請求の範囲で定義されたような説明された態様および／または実施形態の範囲から逸脱することなくなされうることが注目されるべきである。さらに、説明された態様および／または実施形態の構成要素は、単数形で記載または特許請求されているが、もしも単数であると明示的に述べられていないのであれば、複数が考慮される。さらに、任意の態様および／または実施形態のすべてまたは一部は、特に述べられていないのであれば、その他任意の態様および／または実施形態のすべてまたは一部とともに利用されうる。
【図１】
0005296261.tif 000002
【図２】
0005296261.tif 000003
【図３】
0005296261.tif 000004
【図４】
0005296261.tif 000005
【図５】
0005296261.tif 000006
【図６】
0005296261.tif 000007
【図７】
0005296261.tif 000008
【図８】
0005296261.tif 000009
【図９】
0005296261.tif 000010